(57)【要約】【課題】本発明は、自動車等における内燃機関の点火プラグに高電圧を供給し、火花放電を発生させる一体型プロテクタを備えた内燃機関用点火コイルに関するものである。【解決手段】本発明の内燃機関用点火コイルのプロテクタは、上部において、前記絶縁ケースに形成されている前記絶縁ケース下部突出部に嵌合される上部ソケット部と、下部において、点火プラグと嵌合される下部ソケット部と、前記上部ソケット部および下部ソケット部を接続する高圧中継ジョイント部とから構成されている。前記プロテクタは、前記一体成形時にリード線がインサート成形により一体に設けられている。前記上部ソケット部、高圧中継ジョイント部、下部ソケット部、リード線は、インサート成形により作製されるため、互いに嵌合する部分がないため、形状が簡単な金型で済み、組み立てが容易で、安価な内燃機関用点火コイルとなる。【選択図】図１
2008240608.tif 000002
【特許請求の範囲】
【請求項１】
一次ボビンおよび二次ボビンに巻回されている一次コイルおよび二次コイルと、前記各コイルと磁気的に結合させる鉄心とからなる鉄心−コイル組立体と、
前記鉄心−コイル組立体と、内部に充填され、固化された絶縁充填樹脂部材とを収納する絶縁ケースと、
を少なくとも備え、前記二次コイルに発生した高電圧による火花が点火プラグで発生するように接続されている内燃機関用点火コイルにおいて、
上部ソケット部、高圧中継ジョイント部、下部ソケット部からなり、前記絶縁ケースの下部突出部に上部が係合し、点火プラグに下部が係合するプロテクタと、
前記プロテクタの内部にインサートされたリード線と、
から少なくとも構成されていることを特徴とする内燃機関用点火コイル。
【請求項２】
前記リード線は、ステンレス鋼からなり、少なくとも上下の一方にコイルスプリング部を備えていることを特徴とする請求項１に記載された内燃機関用点火コイル。
【請求項３】
前記上部ソケット部および下部ソケット部は、エラストマーからなる熱可塑性樹脂で構成され、
高圧中継ジョイント部は、ポリブチレンテレフタレート樹脂（ＰＢＴ）またはポリフェニレンサルファイト樹脂（ＰＰＳ）からなる熱可塑性樹脂で構成され、
前記上部ソケット部、下部ソケット部、高圧中継ジョイント部が一体成形されていることを特徴とする請求項１または請求項２に記載された内燃機関用点火コイル。
【請求項４】
前記上部ソケット部および下部ソケット部は、シリコンゴムから構成され、
高圧中継ジョイント部は、ポリブチレンテレフタレート樹脂（ＰＢＴ）またはポリフェニレンサルファイト樹脂（ＰＰＳ）からなる熱可塑性樹脂で構成され、
前記上部ソケット部、下部ソケット部、高圧中継ジョイント部が一体成形されていることを特徴とする請求項１から請求項３のいずれか１項に記載された内燃機関用点火コイル。
【請求項５】
雑音防止用抵抗は、リード線またはコイルスプリング部に一体に取り付けられていることを特徴とする請求項１から請求項４のいずれか１項に記載された内燃機関用点火コイル。
【発明の詳細な説明】
【技術分野】
【０００１】
本発明は、自動車等における内燃機関の点火プラグに高電圧を供給し、火花放電を発生させる一体型プロテクタを備えた内燃機関用点火コイルに関するものである。本発明は、組立および作製が容易であり、安価な一体型で、信頼性の高いプロテクタを備えた内燃機関用点火コイルに関するものである。
【背景技術】
【０００２】
図２は従来例における内燃機関用点火コイルを説明するための概略断面図である。図２において、絶縁ケース２１の内部には、センター鉄心およびサイド鉄心、前記センター鉄心に巻回された一次コイルおよび二次コイル、熱硬化性樹脂からなる充填材が少なくとも収納されている。絶縁ケース２１の下部には、絶縁ケース下部突出部２１１が一体に取り付けられている。前記絶縁ケース下部突出部２１１には、二次コイルに接続された高圧端子が挿入されている。
【０００３】
前記絶縁ケース２１の下部および絶縁ケース下部突出部２１１には、上部ソケット２２１が嵌合されている。前記上部ソケット２２１の下部には、高圧中継ジョイント２２２が嵌合されている。前記高圧中継ジョイント２２２には、下部ソケット２２３が嵌合されている。前記高圧端子は、前記高圧中継ジョイント２２２内で、雑音防止用抵抗２５とスプリング２４を介して、前記下部ソケット２２３に嵌合される点火プラグ２３と接続される。
【特許文献１】特開２００３−２３９８３８号公報
【発明の開示】
【発明が解決しようとする課題】
【０００４】
前記特開２００３−２３９８３８号公報に記載されている内燃機関用点火コイルは、プロテクタ２２が上部ソケット２２１、高圧中継ジョイント２２２、下部ソケット２２３の３部品から構成されている。また、前記上部ソケット２２１、高圧中継ジョイント２２２、下部ソケット２２３は、互いに嵌合されているため、構造が複雑になっており、作製上または組立に多くの時間を要し、各部品の結合機能に問題があった。また、前記３部品は、３箇所で結合しているため、シール機能にも問題があった。また、前記上部ソケット２２１および下部ソケット２２３は、ゴム系樹脂部材で成形されており、エラストマー樹脂と比較して高価であるだけでなく、金型が無理抜き形状となっているため、製品の歩留りが低いという問題があった。
【０００５】
以上のような課題を解決するために、本発明は、絶縁ケースと点火プラグとの間にあるプロテクタ内に雑音防止抵抗およびスプリングをインサート成形するとともに、上部ソケット部、高圧中継ジョイント部、下部ソケット部からなるプロテクタを一体にすることにより、前記絶縁ケースと点火プラグとの間の結合機能およびシール機能を向上させ、安価で組み立ての容易な内燃機関用点火コイルを提供することを目的とする。
【課題を解決するための手段】
【０００６】
（第１発明）
第１発明の内燃機関用点火コイルは、一次ボビンおよび二次ボビンに巻回されている一次コイルおよび二次コイルと、前記各コイルと磁気的に結合させる鉄心とからなる鉄心−コイル組立体と、前記鉄心−コイル組立体と、内部に充填され、固化された絶縁充填樹脂部材とを収納する絶縁ケースとを少なくとも備え、前記二次コイルに発生した高電圧による火花が点火プラグで発生するように接続されており、上部ソケット部、高圧中継ジョイント部、下部ソケット部とからなり、前記絶縁ケースの下部突出部に上部が係合し、点火プラグに下部が係合するプロテクタと、前記プロテクタの内部にインサートされたリード線とから少なくとも構成されていることを特徴とする。
【０００７】
（第２発明）
第２発明の内燃機関用点火コイルは、第１発明のリード線がステンレス鋼からなり、少なくとも上下の一方にコイルスプリング部を備えていることを特徴とする。
【０００８】
（第３発明）
第３発明の内燃機関用点火コイルは、第１発明または第２発明の上部ソケット部および下部ソケット部がエラストマーからなる熱可塑性樹脂で構成され、高圧中継ジョイント部は、ポリブチレンテレフタレート樹脂（ＰＢＴ）またはポリフェニレンサルファイト樹脂（ＰＰＳ）からなる熱可塑性樹脂で構成され、前記上部ソケット部、下部ソケット部、高圧中継ジョイント部が一体成形されていることを特徴とする。
【０００９】
（第４発明）
第４発明の内燃機関用点火コイルは、前記上部ソケット部および下部ソケット部がシリコンゴムから構成され、高圧中継ジョイント部は、ポリブチレンテレフタレート樹脂（ＰＢＴ）またはポリフェニレンサルファイト樹脂（ＰＰＳ）からなる熱可塑性樹脂で構成され、前記上部ソケット部、下部ソケット部、高圧中継ジョイント部が一体成形されていることを特徴とする。
【００１０】
（第５発明）
第５発明の内燃機関用点火コイルは、第１発明から第４発明の雑音防止用抵抗がリード線またはコイルスプリング部に一体に取り付けられていることを特徴とする。
【発明の効果】
【００１１】
本発明によれば、従来の上部ソケット部、高圧中継ジョイント部、下部ソケット部が一体となって成形されたプロテクタとなっているため、作製、組立が容易で、かつ、歩留りを向上させることができる安価な内燃機関用点火コイルである。
【００１２】
本発明によれば、リード線および雑音防止用抵抗がプロテクタ内にインサート成形により一体になっているため、安価で組み立てが容易な内燃機関用点火コイルである。
【００１３】
本発明によれば、上部ソケット部および下部ソケット部は、エラストマーからなる熱可塑性樹脂またはシリコンゴムで構成され、高圧中継ジョイント部をポリブチレンテレフタレート樹脂（ＰＢＴ）またはポリフェニレンサルファイト樹脂（ＰＰＳ）からなる熱可塑性樹脂で構成することにより、インサート成形による一体成形が容易になった。
【発明を実施するための最良の形態】
【００１４】
（第１発明）
第１発明の内燃機関用点火コイルは、一次ボビンおよび二次ボビンに巻回されている一次コイルおよび二次コイルと、前記一次コイルおよび二次コイルと磁気的に結合させる鉄心とからなる鉄心−コイル組立体と、前記鉄心−コイル組立体と内部に充填され固化された絶縁充填樹脂部材とを収納する絶縁ケースと、前記絶縁ケースの下部に設けられた絶縁ケース下部突出部と、前記二次コイルに発生した高電圧による火花が点火プラグで発生するように接続するプロテクタとから少なくとも構成されている。前記プロテクタは、上部において、前記絶縁ケースに形成されている前記絶縁ケース下部突出部に嵌合される上部ソケット部と、下部において、点火プラグと嵌合される下部ソケット部と、前記上部ソケット部および下部ソケット部を接続する高圧中継ジョイント部とから構成されている。
【００１５】
前記上部ソケット部、高圧中継ジョイント部、下部ソケット部は、一体成形されてプロテクタとなっている。前記プロテクタは、前記一体成形時にリード線がインサート成形により一体に設けられている。前記上部ソケット部、高圧中継ジョイント部、下部ソケット部、リード線は、インサート成形により作製されるため、互いに嵌合する部分がないため、形状が簡単な金型で済み、組み立てが容易で、安価な内燃機関用点火コイルとなる。
【００１６】
（第２発明）
第２発明の内燃機関用点火コイルは、第１発明のリード線をステンレス鋼として、インサート成形しているため、高圧中継ジョイント部の径を小さくし、上部ソケット部および／または下部ソケット部にコイルスプリング部を設けるようにしている。前記プロテクタは、成形するための工程数および使用する材料が少ないため、安価な内燃機関用点火コイルが得られる。
【００１７】
（第３発明）
第３発明の内燃機関用点火コイルは、一体に成形されたプロテクタの上部および下部と中間部とで材料が異なっている。すなわち、上部ソケット部および下部ソケット部は、エラストマーからなる熱可塑性樹脂で構成されている。高圧中継ジョイント部は、ポリブチレンテレフタレート樹脂（ＰＢＴ）またはポリフェニレンサルファイト樹脂（ＰＰＳ）からなる熱可塑性樹脂で構成されている。前記上部ソケット部、下部ソケット部、高圧中継ジョイント部は、材料が異なるが、ゴム部材を使用しないため、一体成形が可能となった。
【００１８】
（第４発明）
第４発明の内燃機関用点火コイルは、前記上部ソケット部および下部ソケット部がシリコンゴムから構成されている点で、第３発明と異なっている。すなわち、第４発明のプロテクタは、前記シリコンゴムと、ポリブチレンテレフタレート樹脂（ＰＢＴ）またはポリフェニレンサルファイト樹脂（ＰＰＳ）からなる熱可塑性樹脂とで一体成形されている。第３発明および第４発明、射出成形機により組み立てが容易で安価な内燃機関用点火コイルを得ることができる。
【００１９】
（第５発明）
第５発明の内燃機関用点火コイルは、雑音防止用抵抗がリード線またはコイルスプリング部と射出成形時に一体に取り付けられている。前記コイルスプリング部は、高圧中継ジョイント部に無いため、長さを短くでき、安価な内燃機関用点火コイルとすることができる。前記雑音防止用抵抗は、コイルスプリングの少なくとも一方に接続されている。
【実施例１】
【００２０】
図１は本発明の実施例で、内燃機関用点火コイルを説明するための概略断面図である。図１において、絶縁ケース１１の内部には、図示されていない、センター鉄心およびサイド鉄心、前記センター鉄心に巻回された一次コイルおよび二次コイル、熱硬化性樹脂からなる充填材が少なくとも収納されている。絶縁ケース１１の下部には、絶縁ケース下部突出部１１１が一体に取り付けられている。前記絶縁ケース下部突出部１１１には、図示されていない、二次コイルに接続された高圧端子が挿入されている。
【００２１】
前記絶縁ケース１１の下部および絶縁ケース下部突出部１１１には、プロテクタ１２が係合されている。前記プロテクタ１２下部には、点火プラグ１３が嵌合されている。前記プロテクタ１２は、上部ソケット部１２１、高圧中継ジョイント部１２２、下部ソケット部１２３から構成されている。前記高圧端子は、前記プロテクタ１２内で、上部スプリング１４１、上部リード線１４２、雑音防止用抵抗線１４３、リード線１４、下部スプリング１４４を介して点火プラグ１３と接続されている。
【００２２】
前記プロテクタ１２における上部ソケット部１２１および下部ソケット部１２３は、エラストマーからなる熱可塑性樹脂で構成されている。高圧中継ジョイント部１２２は、ポリブチレンテレフタレート樹脂（ＰＢＴ）またはポリフェニレンサルファイト樹脂（ＰＰＳ）からなる熱可塑性樹脂で構成されている。前記上部ソケット部１２１および下部ソケット部１２３は、シリコンゴムから構成することもできる。前記部材は、ゴム質系の部材と比較して、射出成形による一体化が容易にできる。
【００２３】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本実施例における内燃機関用点火コイルは、プロテクタの形状およびその材質は、射出成形が容易な部材であれば、任意に変えることができる。
【図面の簡単な説明】
【００２４】
【図１】本発明の実施例で、内燃機関用点火コイルを説明するための概略断面図である。（実施例１）
【図２】従来例における内燃機関用点火コイルを説明するための概略断面図である。
【符号の説明】
【００２５】
１１・・・絶縁ケース
１１１・・・絶縁ケース下部突出部
１２・・・プロテクタ
１２１・・・上部ソケット部
１２２・・・高圧中継ジョイント部
１２３・・・下部ソケット部
１３・・・点火プラグ
１４・・・リード線
１４１・・・上部スプリング
１４２・・・上部リード線
１４３・・・雑音防止用抵抗線
１４４・・・下部スプリング
【図１】
2008240608.tif 000003
【図２】
2008240608.tif 000004